【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
商用電源からの電力供給を受けて発熱する複数の発熱部材を有する定着部材を備えた画像形成装置であって、
キャパシタと、
前記画像形成装置の待機中に、前記商用電源からの電力で前記キャパシタを充電する充電手段と、
前記複数の発熱部材への電力供給を制御し、前記複数の発熱部材のうち少なくとも一つの発熱部材を点灯又は消灯させる駆動手段と、
前記複数の発熱部材を複数のグループに分け、前記画像形成装置の待機中に前記複数のグループのうち少なくとも一つのグループに電力供給を許可するように前記駆動手段を制御する制御手段と、
を備えることを特徴とする画像形成装置。
【請求項２】
前記制御手段は、前記電力供給を許可する前記グループを所定時間毎に切り換えることを特徴とする請求項１記載の画像形成装置。
【請求項３】
前記制御手段は、前記画像形成装置の待機中、前記発熱部材の全てを同時に点灯させないように前記駆動手段による電力供給を制御することを特徴とする請求項１又は２記載の画像形成装置。
【請求項４】
前記キャパシタの充電電流量は、前記画像形成装置が画像形成動作中から前記待機中に移行した際の、前記商用電源から前記発熱部材以外の負荷に供給される電流の減少する量と、前記複数のグループのうち消費電流量の少ないグループの消費電流量以下所定の電流量を加算したものであることを特徴とする請求項１乃至３の何れか一項記載の画像形成装置。
【請求項５】
前記キャパシタの充電電力量は、前記画像形成装置が画像形成動作中から前記待機中に移行した際の、前記商用電源から前記発熱部材以外の負荷に供給される電力の減少する量と、前記複数のグループのうち消費電力量の少ないグループの消費電力量以下所定の電力量を加算したものであることを特徴とする請求項１乃至３の何れか一項記載の画像形成装置。
【請求項６】
前記画像形成装置の待機中、同時に点灯する前記発熱部材の定格消費電流量の総和が、前記複数の発熱部材中で最大の発熱部材の定格消費電流量を超えないように前記グループ分けを行なうことを特徴とする請求項１乃至４何れか一項記載の画像形成装置。
【請求項７】
前記画像形成装置の待機中、同時に点灯する前記発熱部材の定格消費電力量の総和が、前記複数の発熱部材中で最大の発熱部材の定格消費電力量を超えないように前記グループ分けを行なうことを特徴とする請求項１乃至３もしくは５の何れか一項記載の画像形成装置。
【請求項８】
前記定着部材の表面に当接されており、前記定着部材の表面温度を検出する温度センサを更に備え、
前記制御手段は、前記温度センサにより検出された前記定着部材の表面温度と定着温度の目標範囲との比較結果に応じて前記複数の発熱部材を点灯又は消灯させるタイミングを決定することを特徴とする請求項１乃至７何れか一項記載の画像形成装置。
【請求項９】
前記制御手段は、前記定着部材の表面温度が定着温度の目標範囲よりも低いとき、前記複数の発熱部材のうち少なくとも一つを点灯させることを特徴とする請求項８記載の画像形成装置。
【請求項１０】
前記制御手段は、前記定着部材の表面温度が定着温度の目標範囲よりも低いとき、前記定着部材の表面温度と定着温度の目標範囲との差に応じて、前記グループ毎に電力供給を許可される所定時間のうち前記複数の発熱部材のうち少なくとも一つを点灯又は消灯させる割合を決定することを特徴とする請求項８記載の画像形成装置。
【請求項１１】
前記画像形成装置はさらに、前記キャパシタから電力を供給される第２の発熱部材を備えることを特徴とする請求項１乃至１０の何れか一項記載の画像形成装置。
【請求項１２】
商用電源からの電力供給を受けて発熱する複数の発熱部材を有する定着部材を備えた画像形成装置における電力供給制御方法であって、
前記画像形成装置は、
キャパシタと、
前記画像形成装置の待機中に、前記商用電源からの電力で前記キャパシタを充電する充電手段と、
前記複数の発熱部材への電力供給を制御し、前記複数の発熱部材のうち少なくとも一つの発熱部材を点灯又は消灯させる駆動手段と、
前記駆動手段を制御する制御手段と、
を備え、
前記制御手段は、前記複数の発熱部材を複数のグループに分け、前記画像形成装置の待機中に前記複数のグループのうち少なくとも一つのグループに電力供給を許可するように前記駆動手段を制御することを特徴とする電力供給制御方法。
【請求項１３】
前記制御手段は、前記電力供給を許可する前記グループを所定時間毎に切り換えることを特徴とする請求項１２記載の電力供給制御方法。
【請求項１４】
前記制御手段は、前記画像形成装置の待機中、前記発熱部材の全てを同時に点灯させないように前記駆動手段による電力供給を制御することを特徴とする請求項１２又は１３記載の電力供給制御方法。
【請求項１５】
商用電源からの電力供給を受けて発熱する複数の発熱部材を有する定着部材を備えた画像形成装置を、
キャパシタと、
前記画像形成装置の待機中に、前記商用電源からの電力で前記キャパシタを充電する充電手段と、
前記複数の発熱部材への電力供給を制御し、前記複数の発熱部材のうち少なくとも一つの発熱部材を点灯又は消灯させる駆動手段と、
前記複数の発熱部材を複数のグループに分け、前記画像形成装置の待機中に前記複数のグループのうち少なくとも一つのグループに電力供給を許可するように前記駆動手段を制御する制御手段と、
して機能させる為の電力供給制御プログラム。
【手続補正２】
【補正対象書類名】明細書
【補正対象項目名】００１２
【補正方法】変更
【補正の内容】
【００１２】
上記課題を解決するため、本発明は、商用電源からの電力供給を受けて発熱する複数の発熱部材を有する定着部材を備えた画像形成装置であって、キャパシタと、前記画像形成装置の待機中に、前記商用電源からの電力で前記キャパシタを充電する充電手段と、前記複数の発熱部材への電力供給を制御し、前記複数の発熱部材のうち少なくとも一つの発熱部材を点灯又は消灯させる駆動手段と、前記複数の発熱部材を複数のグループに分け、前記画像形成装置の待機中に前記複数のグループのうち少なくとも一つのグループに電力供給を許可するように前記駆動手段を制御する制御手段と、を備えることを特徴とする。
【手続補正３】
【補正対象書類名】明細書
【補正対象項目名】００１３
【補正方法】変更
【補正の内容】
【００１３】
また、本発明は、商用電源からの電力供給を受けて発熱する複数の発熱部材を有する定着部材を備えた画像形成装置における電力供給制御方法であって、前記画像形成装置は、キャパシタと、前記画像形成装置の待機中に、前記商用電源からの電力で前記キャパシタを充電する充電手段と、前記複数の発熱部材への電力供給を制御し、前記複数の発熱部材のうち少なくとも一つの発熱部材を点灯又は消灯させる駆動手段と、前記駆動手段を制御する制御手段と、を備え、前記制御手段は、前記複数の発熱部材を複数のグループに分け、前記画像形成装置の待機中に前記複数のグループのうち少なくとも一つのグループに電力供給を許可するように前記駆動手段を制御することを特徴とする。
【手続補正４】
【補正対象書類名】明細書
【補正対象項目名】００１４
【補正方法】変更
【補正の内容】
【００１４】
また、本発明は、商用電源からの電力供給を受けて発熱する複数の発熱部材を有する定着部材を備えた画像形成装置を、キャパシタと、前記画像形成装置の待機中に、前記商用電源からの電力で前記キャパシタを充電する充電手段と、前記複数の発熱部材への電力供給を制御し、前記複数の発熱部材のうち少なくとも一つの発熱部材を点灯又は消灯させる駆動手段と、前記複数の発熱部材を複数のグループに分け、前記画像形成装置の待機中に前記複数のグループのうち少なくとも一つのグループに電力供給を許可するように前記駆動手段を制御する制御手段と、して機能させる為の電力供給制御プログラムであることを特徴とする。
【手続補正５】
【補正対象書類名】明細書
【補正対象項目名】００１５
【補正方法】変更
【補正の内容】
【００１５】
従って、画像形成装置の待機中、充電動作時に複数の発熱部材の点灯も同時に行うと定格電気量を超えてしまう反面、充電動作用の消費電気量を低く抑制し過ぎると充電時間が長くかかってしまうが、発熱部材を点灯させるための駆動回路で供給する発熱部材の消費電気量の少なくとも一部を充電回路用の消費電気量として充当させることで、定格電気量の超過抑制と、短時間での効率のよい充電とが実現される。